【手続補正書】
【提出日】平成15年7月24日(2003.7.24)
【手続補正１】
【補正対象書類名】明細書
【補正対象項目名】特許請求の範囲
【補正方法】変更
【補正の内容】
【特許請求の範囲】
【請求項１】
標的細胞の神経細胞分化の促進を誘導する方法であって、該標的細胞に、一般式Ｉ
2002540146.tif 000001
（式中、
Ｙは、−（ＣＨ2）m−、−ＣＨ（ＯＨ）−、または−Ｃ（＝Ｏ）−であり、かつｍは０〜３であり；
Ｘは、Ｈ、アルキル、−ＣＨ2ＯＨ−、ＣＨ2Ｏアシル、または−ＣＨ2アシルであり；そして
Ｒは、Ｈ、陽イオン、アルキル、または随時置換されたアリールである；
ただし、Ｙが−（ＣＨ2）m−であり、ｍが０であり、かつＲがＨまたは陽イオンである時、ＸはＣＨ2Ｏアシルではない）
の化合物の有効量を適当な時間接触させることを含む上記方法。
【請求項２】
式Ｉの化合物は：
i．  １，３環状グリセロリン酸  −  １，３ｃＧＰ；
ii．  １，２環状グリセロリン酸  −  １，２ｃＧＰ；
iii．  フェニル１，３ｃＧＰ  −  Ｐ−１，３ｃＧＰ；
iv．  フェニル１，２ｃＧＰ  −  Ｐ−１，２ｃＧＰ；
v．  １，３環状プロパンジオールリン酸  −  １，３ｃＰＰ；
vi．  １，２環状プロパンジオールリン酸  −  １，２ｃＰＰ；
vii．  フェニル１，３ｃＰＰ  −  Ｐ−１，３ｃＰＰ；
viii．  フェニル１，２環状プロパンジオールリン酸  −  Ｐ−１，２，ｃＰＰ；
ix．  環状ジヒドロキシアセトンリン酸  −  ｃＤＨＡＰ；および
x．  フェニル環状ジヒドロキシアセトンリン酸  −  Ｐ−ｃＤＨＡＰ
よりなる群から選択される請求項１記載の方法。
【請求項３】
活性成分として請求項１の一般式Ｉの化合物の有効量を含む、個体内の神経活性を促進するための医薬組成物。
【請求項４】
神経活性は、ニューロン伸長（ｏｕｔｇｒｏｗｔｈ）の促進、神経増殖の促進、脳の疾患部分でのドーパミン要求性支持環境の提供、神経変性と神経レスキューの予防よりなる群から選択される請求項３記載の医薬組成物。
【請求項５】
神経細胞分化および／または神経活性を促進することにより予防または治療することができる障害と疾患の予防または治療のための医薬組成物であって、活性成分として請求項１記載の式Ｉの化合物の治療上有効量を含む上記医薬組成物。
【請求項６】
障害および疾患は精神障害または疾患である請求項５記載の医薬組成物。
【請求項７】
精神障害または疾患は精神分裂病または痴呆である請求項６記載の医薬組成物。
【請求項８】
障害および疾患は神経変性障害または疾患である請求項５記載の医薬組成物。
【請求項９】
式Ｉの化合物は：
i．  １，３環状グリセロリン酸  −  １，３ｃＧＰ；
ii．  １，２環状グリセロリン酸  −  １，２ｃＧＰ；
iii．  フェニル１，３ｃＧＰ  −  Ｐ−１，３ｃＧＰ；
iv．  フェニル１，２ｃＧＰ  −  Ｐ−１，２ｃＧＰ；
v．  １，３環状プロパンジオールリン酸  −  １，３ｃＰＰ；
vi．  １，２環状プロパンジオールリン酸  −  １，２ｃＰＰ；
vii．  フェニル１，３ｃＰＰ  −  Ｐ−１，３ｃＰＰ；
viii．  フェニル１，２環状プロパンジオールリン酸  −  Ｐ−１，２，ｃＰＰ；
ix．  環状ジヒドロキシアセトンリン酸  −  ｃＤＨＡＰ；および
x．  フェニル環状ジヒドロキシアセトンリン酸  −  Ｐ−ｃＤＨＡＰ
よりなる群から選択される請求項２〜８のいずれか一項に記載の医薬組成物。
【請求項１０】
神経細胞分化を促進する医薬組成物の製造のための一般式Ｉの化合物の使用：
2002540146.tif 000002
（式中、
Ｙは、−（ＣＨ2）m−、−ＣＨ（ＯＨ）−、または−Ｃ（＝Ｏ）−であり、かつｍは０〜３であり；
Ｘは、Ｈ、アルキル、−ＣＨ2ＯＨ−、ＣＨ2Ｏアシル、または−ＣＨ2アシルであり；そして
Ｒは、Ｈ、陽イオン、アルキル、または随時置換されたアリールである；
ただし、Ｙが−（ＣＨ2）m−であり、ｍが０であり、かつＲがＨまたは陽イオンである時、ＸはＣＨ2Ｏアシルではない）。
【請求項１１】
神経活性を促進する医薬組成物の製造のための一般式Ｉの化合物の使用：
2002540146.tif 000003
（式中、
Ｙは、−（ＣＨ2）m−、−ＣＨ（ＯＨ）−、または−Ｃ（＝Ｏ）−であり、かつｍは０〜３であり；
Ｘは、Ｈ、アルキル、−ＣＨ2ＯＨ−、ＣＨ2Ｏアシル、または−ＣＨ2アシルであり；そして
Ｒは、Ｈ、陽イオン、アルキル、または随時置換されたアリールである；
ただし、Ｙが−（ＣＨ2）m−であり、ｍが０であり、かつＲがＨまたは陽イオンである時、ＸはＣＨ2Ｏアシルではない）。
【請求項１２】
神経活性は、ニューロン伸長の促進、神経増殖の促進、脳の疾患部分でのドーパミン要求性支持環境の提供、神経変性と神経レスキューの予防よりなる群から選択される請求項１１記載の使用。
【請求項１３】
神経細胞分化および／または神経活性を促進することにより予防または治療することができる障害および疾患の予防または治療のための請求項１０記載の使用。
【請求項１４】
障害および疾患は精神障害または疾患である請求項１３記載の使用。
【請求項１５】
精神障害または疾患は精神分裂病または痴呆である請求項１４記載の使用。
【請求項１６】
障害および疾患は神経変性障害または疾患である請求項１５記載の使用。
【請求項１７】
式Ｉの化合物は：
i．  １，３環状グリセロリン酸  −  １，３ｃＧＰ；
ii．  １，２環状グリセロリン酸  −  １，２ｃＧＰ；
iii．  フェニル１，３ｃＧＰ  −  Ｐ−１，３ｃＧＰ；
iv．  フェニル１，２ｃＧＰ  −  Ｐ−１，２ｃＧＰ；
v．  １，３環状プロパンジオールリン酸  −  １，３ｃＰＰ；
vi．  １，２環状プロパンジオールリン酸  −  １，２ｃＰＰ；
vii．  フェニル１，３ｃＰＰ  −  Ｐ−１，３ｃＰＰ；
viii．  フェニル１，２環状プロパンジオールリン酸  −  Ｐ−１，２，ｃＰＰ；
ix．  環状ジヒドロキシアセトンリン酸  −  ｃＤＨＡＰ；および
x．  フェニル環状ジヒドロキシアセトンリン酸  −  Ｐ−ｃＤＨＡＰ
よりなる群から選択される請求項１０〜１６のいずれか一項に記載の使用。
【請求項１８】
活性成分として一般式Ｉ
2002540146.tif 000004
（式中、
Ｙは、−（ＣＨ2）m−、−ＣＨ（ＯＨ）−、または−Ｃ（＝Ｏ）−であり、かつｍは０〜３であり；
Ｘは、Ｈ、アルキル、−ＣＨ2ＯＨ−、ＣＨ2Ｏアシル、または−ＣＨ2アシルであり；そして
Ｒは、Ｈ、陽イオン、アルキル、または随時置換されたアリールである）の化合物の有効量を含む神経活性を促進するための医薬組成物であって、神経活性は、ニューロン伸長の促進、神経増殖の促進、脳の疾患部分でのドーパミン要求性支持環境の提供、痴呆以外の神経変性と神経レスキューの予防よりなる群から選択される上記医薬組成物。
【請求項１９】
神経細胞分化および／または神経活性を促進することにより予防または治療することができる、痴呆以外の障害および疾患の予防または治療ための医薬組成物であって、活性成分として請求項１８の式Ｉの化合物の治療上有効量を含む上記医薬組成物。
【請求項２０】
障害および疾患は精神障害または疾患である請求項１９記載の医薬組成物。
【請求項２１】
精神障害または疾患は精神分裂病である請求項２０記載の医薬組成物。
【請求項２２】
精神障害は学習障害である請求項２０記載の医薬組成物。
【請求項２３】
障害および疾患は神経変性障害または疾患である請求項１９記載の医薬組成物。
【請求項２４】
神経変性障害または疾患はアルツハイマー病またはパーキンソン病である請求項２３記載の医薬組成物。
【請求項２５】
障害または疾患は、有害な環境因子への個体の暴露または機械的損傷により発生する請求項１８記載の医薬組成物。
【請求項２６】
神経損傷後の神経レスキューの治療のための請求項１８記載の医薬組成物。
【請求項２７】
一般式Ｉの化合物は：
i．  １，３環状グリセロリン酸  −  １，３ｃＧＰ；
ii．  １，２環状グリセロリン酸  −  １，２ｃＧＰ；
iii．  ３−アシル１，２環状グリセロリン酸（環状リソホスファチジン酸）  −  ｃ−ｌｙｓｏＰＡ；
iv．  フェニル１，３ｃＧＰ  −  Ｐ−１，３ｃＧＰ；
v．  フェニル１，２ｃＧＰ  −  Ｐ−１，２ｃＧＰ；
vi．  １，３環状プロパンジオールリン酸  −  １，３ｃＰＰ；
vii．  １，２環状プロパンジオールリン酸  −  １，２ｃＰＰ；
viii．  フェニル１，３ｃＰＰ  −  Ｐ−１，３ｃＰＰ；
ix．  フェニル１，２環状プロパンジオールリン酸  −  Ｐ−１，２，ｃＰＰ；
x．  環状ジヒドロキシアセトンリン酸  −  ｃＤＨＡＰ；および
xi．  フェニル環状ジヒドロキシアセトンリン酸  −  Ｐ−ｃＤＨＡＰ
よりなる群から選択される請求項１８〜２６のいずれか一項に記載の医薬組成物。
【請求項２８】
ニューロン伸長の促進、神経増殖の促進、脳の疾患部分でのドーパミン要求性支持環境の提供、神経レスキュー、および痴呆以外の神経変性症状の予防よりなる群から選択される神経活性を促進する医薬組成物の製造のための一般式Ｉの化合物の使用：
2002540146.tif 000005
（式中、
Ｙは、−（ＣＨ2）m−、−ＣＨ（ＯＨ）−、または−Ｃ（＝Ｏ）−であり、かつｍは０〜３であり；
Ｘは、Ｈ、アルキル、−ＣＨ2ＯＨ−、ＣＨ2Ｏアシル、または−ＣＨ2アシルであり；そして
Ｒは、Ｈ、陽イオン、アルキル、または随時置換されたアリールである）。
【請求項２９】
神経細胞分化および／または神経活性を促進することにより予防または治療することができる、痴呆以外の障害および疾患の予防または治療のための請求項２８に記載の使用。
【請求項３０】
障害および疾患は精神障害または疾患である請求項２９記載の使用。
【請求項３１】
精神障害または疾患は精神分裂病または痴呆である請求項３０記載の使用。
【請求項３２】
精神障害は、学習障害である請求項３０記載の使用。
【請求項３３】
障害および疾患は神経変性障害または疾患である請求項２９記載の使用。
【請求項３４】
神経変性障害または疾患はアルツハイマー病またはパーキンソン病である請求項３３記載の使用。
【請求項３５】
障害または疾患は、有害な環境因子への個体の暴露または機械的損傷により発生する請求項２９記載の使用。
【請求項３６】
神経損傷後の神経レスキューのための請求項２８記載の使用。
【請求項３７】
式Ｉの化合物は：
i．  １，３環状グリセロリン酸  −  １，３ｃＧＰ；
ii．  １，２環状グリセロリン酸  −  １，２ｃＧＰ；
iii．  ３−アシル１，２環状グリセロリン酸（環状リソホスファチジン酸）  −  ｃ−ｌｙｓｏＰＡ；
iv．  フェニル１，３ｃＧＰ  −  Ｐ−１，３ｃＧＰ；
v．  フェニル１，２ｃＧＰ  −  Ｐ−１，２ｃＧＰ；
vi．  １，３環状プロパンジオールリン酸  −  １，３ｃＰＰ；
vii．  １，２環状プロパンジオールリン酸  −  １，２ｃＰＰ；
viii．  フェニル１，３ｃＰＰ  −  Ｐ−１，３ｃＰＰ；
ix．  フェニル１，２環状プロパンジオールリン酸  −  Ｐ−１，２，ｃＰＰ；
x．  環状ジヒドロキシアセトンリン酸  −  ｃＤＨＡＰ；および
xi．  フェニル環状ジヒドロキシアセトンリン酸  −  Ｐ−ｃＤＨＡＰ
よりなる群から選択される請求項２８〜３６のいずれか一項に記載の使用。